(57)【要約】本発明は、モバイルデバイスハウジング内部に収容されており、複数の画像獲得モードを可能にするように構成されている撮像装置を含む。装置は、画像センサと、第１の光学アセンブリと、第２の光学アセンブリと、制御装置とを含む。本発明の第１の光学アセンブリは、撮像表面の第１の画像捕捉領域の上に位置づけされており、第１の視野を規定する。それにより、第１の光学アセンブリは、第１の視野内の任意の物体面を第１の画像捕捉領域に像形成する。第２の光学アセンブリは、撮像表面の第２の画像捕捉領域の上に位置づけされ、第２の視野を規定する。それにより、第２の光学アセンブリは、第２の視野内の任意の物体面を第２の画像捕捉領域に像形成する。本発明は、撮像装置での複数の画像獲得モードを可能にするための対応する方法をさらに含む。【選択図】図３
2016527769.tif 000002
【特許請求の範囲】
【請求項１】
モバイルデバイスのハウジング内部に少なくとも部分的に収容されており、複数の画像獲得モードのために構成されている撮像装置であって、
撮像面を備える画像センサと、
前記撮像面の第１の画像捕捉領域の上に位置づけされ、第１の視野を規定する第１の光学アセンブリであり、前記第１の視野内の任意の物体面を前記第１の画像捕捉領域に像形成する第１の光学アセンブリと、
前記撮像面の第２の画像捕捉領域の上に位置づけされ、第２の視野を規定する第２の光学アセンブリであり、前記第２の視野内の任意の物体面を前記第２の画像捕捉領域に像形成する第２の光学アセンブリと、
制御装置であり、前記制御装置が、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する、
ように構成される、制御装置と、
を備える、撮像装置。
【請求項２】
前記第１の画像捕捉モード又は前記第２の画像捕捉モードは、対象の物体が前記第１の視野又は前記第２の視野内に位置づけされたのに応答してそれぞれトリガされる、請求項１に記載の撮像装置。
【請求項３】
前記制御装置は、前記モバイルデバイスのハウジングの外に少なくとも一部位置している、請求項１に記載の撮像装置。
【請求項４】
前記第１の光学アセンブリと第２の光学アセンブリは一体形成されている、請求項１に記載の撮像装置。
【請求項５】
複数の撮像面が、それぞれ前記第１の画像捕捉領域及び前記第２の画像捕捉領域の下にあり、離散的に形成されている、請求項１に記載の撮像装置。
【請求項６】
前記第１の光学アセンブリ及び前記第２の光学アセンブリの各々は、レンズ又は光学フィルタのうち少なくとも一方を備える、請求項１に記載の撮像装置。
【請求項７】
前記第１の光学アセンブリが、前記画像センサと前記第１及び第２の視野との間に代用不可能に挿間されている第３の光学アセンブリと前記第１の画像捕捉領域との間に挿入されているか、或いは、前記第２の光学アセンブリが、前記第３の光学アセンブリと前記第２の画像捕捉領域との間に挿入されている、請求項１に記載の撮像装置。
【請求項８】
前記第１の光学アセンブリが、前記第１の視野に対応する第１の画像捕捉特性セットを当該撮像装置に提供し、前記第１の画像捕捉特性セットが、前記第２の視野に対応する前記第２の光学アセンブリによって当該撮像装置に提供される第２の画像捕捉特性セットとは異なる、請求項１に記載の撮像装置。
【請求項９】
視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の画像捕捉特性セットが、前記第２の画像捕捉特性セットとは異なる、請求項８に記載の撮像装置。
【請求項１０】
前記第１の光学アセンブリ又は前記第２の光学アセンブリが、赤外透過フィルタ、狭帯域フィルタ、赤外カットフィルタ、屈折光学素子、又は平面平行屈折素子のうち１つ以上を備える、請求項１に記載の撮像装置。
【請求項１１】
前記第１の画像捕捉モード及び前記第２の画像捕捉モードのうち一方が、虹彩撮像のために最適化されている、請求項１に記載の撮像装置。
【請求項１２】
前記第１の画像捕捉領域及び前記第２の画像捕捉領域が移行領域によって分離されており、前記移行領域の内部からの画素データが、画像捕捉中、画像パース中、又は画像レンダリング中には無視される、請求項１に記載の撮像装置。
【請求項１３】
前記制御装置が、画像捕捉中、画像パース中、又は画像レンダリング中のうち任意の１つにおいて、前記第１の画像捕捉領域内又は前記第２の画像捕捉領域内からの画像データを選択的に処理するように構成されている、請求項１に記載の撮像装置。
【請求項１４】
当該撮像装置が、モバイル通信デバイスの任意の１つのハウジング内部に配設されているカメラである、請求項１に記載の撮像装置。
【請求項１５】
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成されている、請求項１１に記載の撮像装置。
【請求項１６】
操作者に表示するためにレンダリングされた前記画像は、前記操作者が虹彩撮像のために画像捕捉パラメータを最適化できるようにする、請求項１５に記載の撮像装置。
【請求項１７】
撮像装置での複数の画像獲得モードを可能にするための方法であって、前記撮像装置が、モバイルデバイスのハウジング内部に少なくとも一部収容されており、当該方法は、
撮像面を備える画像センサに関して、前記撮像面内に第１の画像捕捉領域及び第２の画像捕捉領域を定めるステップと、
第１の光学アセンブリを前記第１の画像捕捉領域の上に位置づけするステップであり、前記第１の光学アセンブリが、第１の視野を規定し、前記第１の視野内の任意の物体面を前記第１の画像捕捉領域に像形成する、ステップと、
第２の光学アセンブリを前記第２の画像捕捉領域の上に位置づけするステップであり、前記第２の光学アセンブリが、第２の視野を規定し、前記第２の視野内の任意の物体面を前記第２の画像捕捉領域に像形成する、ステップと、
制御装置を、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する
ように構成するステップと、
を含む、方法。
【請求項１８】
前記制御装置は、前記第１の画像捕捉モード又は前記第２の画像捕捉モードを、前記第１の視野又は前記第２の視野に対象の物体が位置づけされたのに応答してそれぞれトリガするように構成される、請求項１７に記載の方法。
【請求項１９】
前記制御装置は、前記モバイルデバイスのハウジングの外に少なくとも一部位置している、請求項１７に記載の方法。
【請求項２０】
前記第１の光学アセンブリと第２の光学アセンブリは一体形成されている、請求項１７に記載の方法。
【請求項２１】
前記複数の撮像面が、それぞれ前記第１の画像捕捉領域及び前記第２の画像捕捉領域の下にあり、離散的に形成されている、請求項１７に記載の方法。
【請求項２２】
前記第１の光学アセンブリ及び前記第２の光学アセンブリの各々は、レンズ又は光学フィルタのうち少なくとも一方を備える、請求項１７に記載の方法。
【請求項２３】
前記第１の光学アセンブリが、前記画像センサと前記第１及び第２の視野との間に代用不可能に挿間される第３の光学アセンブリと前記第１の画像捕捉領域との間に位置づけされているか、或いは、前記第２の光学アセンブリが、前記第３の光学アセンブリと前記第２の画像捕捉領域との間に位置づけされている、請求項１７に記載の方法。
【請求項２４】
前記第１の光学アセンブリが、前記第１の視野に対応する第１の画像捕捉特性セットを前記撮像装置に提供するように選択され、前記第１の画像捕捉特性セットが、前記第２の視野に対応する前記第２の光学アセンブリによって前記撮像装置に提供される第２の画像捕捉特性セットとは異なる、請求項１７に記載の方法。
【請求項２５】
前記第１及び第２の光学アセンブリは、視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の画像捕捉特性セットが、前記第２の画像捕捉特性セットとは異なるように選択される、請求項２４に記載の方法。
【請求項２６】
前記第１の光学アセンブリ又は前記第２の光学アセンブリが、赤外透過フィルタ、狭帯域フィルタ、赤外カットフィルタ、屈折光学素子、又は平面平行屈折素子のうち１つ以上を備える、請求項１７に記載の撮像装置。
【請求項２７】
虹彩撮像のために、前記第１の画像捕捉モード及び前記第２の画像捕捉モードのうち一方を最適化するステップを含む、請求項１７に記載の方法。
【請求項２８】
前記第１の画像捕捉領域及び前記第２の画像捕捉領域を定めるステップが、前記第１の画像捕捉領域及び前記第２の画像捕捉領域を分離する移行領域を定めるステップと、画像捕捉中、画像パース中、又は画像レンダリング中に前記移行領域内からの画素データを無視するように前記制御装置を構成するステップと、を含む、請求項１７に記載の方法。
【請求項２９】
前記制御装置が、画像捕捉中、画像パース中、又は画像レンダリング中のうち任意の１つにおいて、前記第１の画像捕捉領域内又は前記第２の画像捕捉領域内からの画像データを選択的に処理するように構成されている、請求項１７に記載の方法。
【請求項３０】
前記撮像装置が、モバイル通信デバイス又はモバイルデータ通信デバイスのハウジング内部に配設されているカメラである、請求項１７に記載の方法。
【請求項３１】
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成される、請求項２７に記載の方法。
【請求項３２】
前記制御装置は、表示のためにレンダリングされた画像に基づいて、虹彩撮像のために操作者が画像捕捉パラメータを最適化できるように構成されている、請求項３１に記載の方法。
【発明の詳細な説明】
【発明の分野】
【０００１】
本発明は、生体認証に関する対象者の眼の１つ以上の造形の画像を取得することを可能にする撮像装置及び方法に関する。本発明は、特に、第１のモード及び第２のモードで画像を取得するように動作可能であり、少なくとも第１の画像獲得モードが、虹彩認識の目的での虹彩画像捕捉のために最適化されている。
【背景】
【０００２】
眼の造形を含めた顔の造形に基づく生体認証のための方法が知られている。虹彩認識用の方法は、獲得された対象者の虹彩の画像を、以前に獲得された対象者の虹彩の画像と比較し、それにより対象者の同一性を決定又は検証するために、パターン認識技法を実施する。獲得された虹彩画像に対応するデジタルテンプレートは、数学的／統計的アルゴリズムを使用して、画像に基づいて符号化される。一致を探し出し、それにより対象者の同一性を決定又は検証するために、デジタルテンプレートは、（以前に獲得された虹彩画像に対応する）以前に符号化されたデジタルテンプレートのデータベースと比較される。
【０００３】
虹彩認識用の装置は、対象者の虹彩の画像を捕捉するための撮像装置と、捕捉された画像を、以前に記憶された虹彩画像情報と比較するための画像処理装置とを備えることがある。撮像装置と画像処理装置は、それぞれ別々のデバイスから成ることがあり、又は単一のデバイスに組み合わされることもある。
【０００４】
虹彩認識装置は、専用デバイス又は独立型デバイスとして従来より利用可能であるが、例えば、携帯電話、スマートフォン、携帯情報端末、タブレット、又はラップトップデバイス等、内蔵カメラを有するモバイル通信デバイス又はモバイル計算デバイス（総称して「モバイルデバイス」と呼ぶ）に虹彩認識機能を組み込むことがますます望まれている。
【０００５】
しかし、モバイルデバイス内部のカメラは、モバイルデバイスから距離の広い範囲に位置された物体の画像を捕捉することが可能である汎用カメラとして機能するように意図されていることが分かっている。生体認識の目的で虹彩画像を獲得するための考慮事項は、虹彩画像以外の画像の捕捉に適用できる考慮事項とは大きく異なる。具体的には、虹彩撮像は、特に、撮像装置によって獲得される虹彩画像が物体面内で最小画素解像度を満たすように、規定の画像捕捉領域内に対象者の虹彩を位置づけすることを必要とする。虹彩のサイズと、モバイルデバイスで典型的に使用される画像センサの画素サイズとを仮定して、適切な虹彩直径を有する虹彩画像を像面に捕捉するようにカメラを構成することは、特定の物体距離（即ち対象者の虹彩が位置づけされるのに必要な距離）及び／又はカメラの倍率（したがって焦点距離）の変更を必要とする。モバイルデバイスに内蔵されたカメラをこのように構成することは、カメラを、画像鮮鋭度及び詳細を維持しながら多用途（虹彩撮像、並びにビデオ会議、ビデオ記録、又は写真撮影目的等）で使用するのには適さないものにすることがある。
【０００６】
カメラの物体面を変えるための従来技術の解決策は、典型的には、ズームレンズタイプの構成を含み、レンズアセンブリは、レンズアセンブリの焦点距離及び倍率を変えるためにレンズアセンブリの本体に沿って軸方向に摺動することができる幾つかの個別のレンズを備える。しかし、ズームレンズは高価であり、且つ嵩張り、その両方が、モバイルデバイスに内蔵されるカメラの使用に関する重大な阻害要因となる。
【０００７】
固定焦点カメラを２つの用途に使用することにより生じる別の問題は、虹彩画像が、典型的には赤外（ＩＲ）波長に依拠し、虹彩画像でない画像は、通常は、ＩＲカットフィルタ（可視波長がレンズアセンブリを通過して画像センサに達するようにしながら、ＩＲ波長を反射又は吸収するフィルタ）を使用することによってＩＲ波長を除去することを試みることである。
【０００８】
したがって、本発明の目的は、モバイルデバイスに内蔵されているカメラが複数の画像捕捉モード間で切り替わることができるようにカメラを構成するための効率的で費用対効果の高いメカニズムを提供することである。ここで、複数のモードはそれぞれ、物体距離、像距離、カメラの視野、被写界深度、及びカメラの光フィルタリング特性の１つ以上を変えている。
【概要】
【０００９】
本発明は、モバイルデバイスハウジング内部に少なくとも一部収容されており、複数の画像獲得モードを可能にするように構成された撮像装置を含む。撮像装置は、撮像面と、第１の光学アセンブリと、第２の光学アセンブリと、制御装置とを備える画像センサを含む。
【００１０】
本発明の第１の光学アセンブリは、撮像面の第１の画像捕捉領域の上に位置づけされることができ、第１の視野を規定することができる。それにより、第１の光学アセンブリは、第１の視野内の任意の物体面を第１の画像捕捉領域に像形成する。第２の光学アセンブリは、撮像面の第２の画像捕捉領域の上に位置づけされることができ、第２の視野を規定することができる。それにより、第２の光学アセンブリは、第２の視野内の任意の物体面を第２の画像捕捉領域に像形成する。撮像装置の第１の光学アセンブリと第２の光学アセンブリは一体形成されてもよい。本発明の一実施形態では、それぞれ第１の画像捕捉領域と第２の画像捕捉領域の下にある撮像面は、離散的に形成されてもよい。
【００１１】
第１の光学アセンブリ及び第２の光学アセンブリはそれぞれ、レンズ又は光学フィルタのうち少なくとも一方を備える。第１の光学アセンブリは、画像センサと第１及び第２の視野との間に代用不可能に挿入される第３の光学アセンブリと第１の画像捕捉領域との間に挿入されてもよい。代替として、第２の光学アセンブリは、第３の光学アセンブリと第２の画像捕捉領域との間に挿間されてもよい。
【００１２】
一実施形態では、第１の光学アセンブリは、第１の視野に対応する第１の画像捕捉特性セットを撮像装置に提供するように構成されてもよい。第１の画像捕捉特性セットは、第２の視野に対応する第２の光学アセンブリによって撮像装置に提供される第２の画像捕捉特性セットとは異なってもよい。特定の実施形態では、視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、第１の画像捕捉特性セットが第２の画像捕捉特性セットとは異なってもよい。
【００１３】
撮像装置の第１の光学アセンブリ又は第２の光学アセンブリは、赤外透過フィルタ、狭帯域フィルタ、赤外カットフィルタ、屈折光学素子、又は平面平行屈折素子のうち１つ以上を備えてもよい。
【００１４】
撮像装置内部の制御装置は、第１の画像捕捉モードのトリガに応答して、第１の画像捕捉領域内の画素からの画像データを処理するように、及び第２の画像捕捉モードのトリガに応答して、第２の画像捕捉領域内の画素からの画像データを処理するように構成されててもよい。制御装置は、モバイルデバイスハウジングの外部に少なくとも一部位置していてもよい。制御装置は、画像捕捉中、画像パース中、又は画像レンダリング中の任意の１つにおいて、第１の画像捕捉領域又は第２の画像捕捉領域の内部からの画像データを選択的に処理するように構成されてもよい。
【００１５】
制御装置は、第１の画像捕捉領域内の画素から獲得された第１の画像データセット、及び第２の画像捕捉領域内の画素から獲得された第２の画像データセットを処理することによって第１の画像捕捉モードのトリガに応答するように構成されてもよい。画素からの第１の画像データセットと第２の画像データセットの一方に基づく画像は、表示のために制御装置によってレンダリングしてもよい。その後、第１の画像データセットと第２の画像データセットの他方は、そのような第１又は第２の画像データセット内の虹彩情報を、少なくとも１つの虹彩に対応する記憶されている虹彩情報と比較するため、及び比較の出力に基づいて一致決定又は不一致決定を行うために利用してもよい。本発明の特定の実施形態では、操作者に表示するためにそのようにレンダリングされた画像は、操作者が虹彩撮像のために画像捕捉パラメータを最適化できるようにする。
【００１６】
本発明の一実施形態では、第１の画像捕捉モード又は第２の画像捕捉モードは、対象の物体が第１の視野又は第２の視野に位置づけされたことに応じてトリガされてもよい。第１の画像捕捉モードと第２の画像捕捉モードのうち少なくとも一方を、虹彩撮像のために最適化することができる。
【００１７】
本発明の特定の実施形態では、第１の画像捕捉領域と第２の画像捕捉領域は、移行領域によって分離されてもよく、移行領域内部からの画素データは、画像捕捉中、画像パース中、又は画像レンダリング中には無視される。
【００１８】
本発明の一実施形態では、撮像装置は、モバイル通信デバイスの任意の１つのハウジング内に配設されているカメラを備えてもよい。
【００１９】
別の実施形態では、本発明は、撮像装置内の複数の画像獲得モードを可能にするための方法を含むことができ、撮像装置は、モバイルデバイスハウジング内部に少なくとも一部収容されている。この方法は、（ｉ）撮像面を備える画像センサに関して、撮像面内に第１の画像捕捉領域及び第２の画像捕捉領域を定めるステップと、（ｉｉ）第１の光学アセンブリを第１の画像捕捉領域の上に位置づけするステップであって、第１の光学アセンブリが、第１の視野を規定し、第１の視野内の任意の物体面を第１の画像捕捉領域に像形成する、ステップと、（ｉｉｉ）第２の光学アセンブリを第２の画像捕捉領域の上に位置づけするステップであって、第２の光学アセンブリが、第２の視野を規定し、第２の視野内の任意の物体面を第２の画像捕捉領域に像形成する、ステップと、（ｉｖ）制御装置を、（ａ）第１の画像捕捉モードのトリガに応答して、第１の画像捕捉領域内の画素からの画像データを処理し、（ｂ）第２の画像捕捉モードのトリガに応答して、第２の画像捕捉領域内の画素からの画像データを処理するように構成するステップとを含むことができる。
【００２０】
本発明の方法実施形態は、装置実施形態に関連して上述した限定の幾つか又は全てを含んでもよい。
【図面の簡単な説明】
【００２１】
【図１】図１は、虹彩画像ベースの認識用に構成されたモバイルデバイスの機能ブロック図である。
【００２２】
【図２】図２は、撮像装置の例示的実施形態を示す図である。
【００２３】
【図３】図３は、デュアルモード撮像装置の実施形態を示す図である。
【図３Ａ】図３Ａは、デュアルモード撮像装置の実施形態を示す図である。
【図４】図４は、デュアルモード撮像装置の実施形態を示す図である。
【００２４】
【図５】図５は、撮像処理装置用の例示的な処理システムを示す図である。
【詳細な説明】
【００２５】
図１は、虹彩画像ベースの認識用に構成されたモバイルデバイス１００の機能ブロック図であり、モバイルデバイス１００は、撮像装置１０２と、画像処理装置１０４とを備える。撮像装置１０２は、対象者の虹彩の画像を獲得し、その画像を画像処理装置１０４に送信する。撮像装置１０２によって捕捉される画像は、静止画像又はビデオ画像でよい。その後、画像処理装置１０４は、対象者を認証するため又は対象者の同一性を検証するために、獲得された（１つ以上の）画像フレームを解析し、対応するデジタルフィーチャセットを、前に獲得された虹彩画像に基づいて符号化されて記憶されているデジタルテンプレートと比較する。
【００２６】
図１には示されていないが、モバイルデバイス１００は、他の構成要素を含むこともでき、そのような構成要素は、例えば、ビデオ画像から静止フレームを抽出するための構成要素、画像データを処理してデジタル化するための構成要素、虹彩画像の登録（対象者に関する虹彩情報を捕捉して記憶し、記憶された情報をその対象者に関連付けるプロセス）及び比較（対象者の同一性の認証又は検証のために、対象者から獲得された虹彩情報を、以前に登録中に獲得された情報と比較するプロセス）のための構成要素、及びモバイルデバイスの構成要素間の通信を可能にするための構成要素を含む。撮像装置、画像処理装置、及びモバイルデバイスの他の構成要素は、それぞれ別々のデバイスから成ってもよく、又は単一のモバイルデバイスに組み合わされてもよい。
【００２７】
図２は、撮像装置１０２の例示的実施形態を示し、撮像装置１０２は、ハウジング２０２と、画像センサ２０４と、光学アセンブリ２０６とを有し、画像センサ２０４及び光学アセンブリ２０６は、ハウジング２０６内部に配設される。
【００２８】
撮像装置１０２は、従来のソリッドステートスチールカメラ又はビデオカメラを備えることができ、画像センサ２０４は、電荷結合素子（ＣＣＤ）又は相補型金属酸化膜半導体（ＣＭＯＳ）デバイスを備えてもよい。画像センサ２０４は、少なくとも４００ナノメートル〜１０００ナノメートルの範囲内の波長を有する光に感受性を有するように選択してもよい。光学アセンブリ２０６は、一体形成された要素、若しくは単体として形成された単一の要素でよく、又は望ましい画像生成特性を実現するように選択及び構成された光学素子のアセンブリから成ってもよい。図示される撮像装置は、固定焦点を有し、モバイルデバイス内部に従来配設されているタイプのものである。
【００２９】
図２での図示は、虹彩撮像と一般的な写真撮影とを可能にするために、固定焦点カメラを２つの用途で使用できる構成に適合させる際に直面する問題を例示する。図２に示されるように、光学アセンブリ２０６と画像センサ２０４は、対象者の眼Ｅが物体面ＯＰ１に位置づけされたときに眼の合焦像Ｅ’が像面ＩＰ１に形成されるように互いに対して構成及び配設されてもよく、その像面ＩＰ１は、画像センサ２０４の撮像面と一致する。他方、図示される撮像装置の固定焦点構成を仮定して、物体Ｏが物体面ＯＰ２（物体面ＯＰ２は、物体面ＯＰ１に比べて撮像装置から離れた位置にある）に位置づけされるとき、物体の像Ｏ’は像面ＩＰ２に形成され、この像面ＩＰ２は、画像センサ２０４の撮像面とは一致しない。それにより、画像センサ２０４によって焦点が外れた画像が獲得される。
【００３０】
本発明は、可動部品に依拠せずに２つ以上の画像捕捉構成又はモード間で切り替えることが可能な撮像装置を提供することによって、上記の問題に対する解決策を提供することを試みる。図３及び図４は、本発明の例示的実施形態を示す。
【００３１】
図３は、デュアルモードカメラ構成を示し、画像センサ３０１は、第１の画像捕捉領域３０２及び第２の画像捕捉領域３０３を備える。画像センサ３０１と、意図される物体位置との間に、第１の光学アセンブリ３０４及び第２の光学アセンブリ３０５が位置づけされる。図示されるように、第１の光学アセンブリ３０４は、画像センサ３０１の第１の画像捕捉領域３０２の前に挿間され、第２の光学アセンブリ３０５は、画像センサ３０１の第２の画像捕捉領域３０３の前に挿間される。第１の光学アセンブリ３０４と第２の光学アセンブリ３０５は、それぞれ異なる作業距離を有する、及び／又は異なる倍率を有する、及び／又は異なる光フィルタリング特性を有するように選択することができる。
【００３２】
第１の光学アセンブリ３０４は、第１の視野３０６及び第１の物体面３０６’を有するように構成及び選択され、一方、第２の光学アセンブリ３０５は、第２の視野３０７、並びに任意選択で第２の物体面３０７’及び被写界深度を有するように構成及び選択される。第１及び第２の光学アセンブリは、第１の視野３０６内で第１の物体面３０６’に位置づけされた物体の画像が画像センサ３０１の第１の画像捕捉領域３０２に投影され、一方、第２の視野３０７内に位置づけされた物体の画像が画像センサ３０１の第２の画像捕捉領域３０３に投影されるように、画像センサに対して位置づけされる。一実施形態では、第１の光学アセンブリ３０４は、物体面３０６’が虹彩画像捕捉に適するように選択されるように構成されてもよく、一方、第２の光学アセンブリ３０５は、虹彩画像以外の画像捕捉に（例えば一般的な写真撮影用等に）最適な制約を満たすように構成されてもよい。
【００３３】
１つの画像捕捉領域３０６内に位置づけされた物体の像は画像センサ３０１の第１の部分３０２に形成され、第２の画像捕捉領域３０７内に位置づけされた物体の像は画像センサ３０１の第２の部分３０３に形成されるので、本発明は、カメラが第１の画像捕捉モードであるか第２の画像捕捉モードであるかに応じて情報を選択的に記録することができる。
【００３４】
本発明の一実施形態では、第１の画像捕捉モードのトリガに応答して、第１の画像捕捉領域３０２内の画素からの画像データがパースされて使用され、一方、第２の画像捕捉領域３０３からの画像データが無視される。第２の画像捕捉モードのトリガに応答して、第２の画像捕捉領域３０３内の画素からの画像データがパースされて使用され、一方、第１の画像捕捉領域３０２からの画像データが無視される。
【００３５】
本発明の別の実施形態では、第１の画像捕捉モードのトリガに応答して、第１の画像捕捉領域３０２内の画素からの画像データを含む第１の画像データセットが、第２の画像捕捉領域３０３内の画素からの画像データを含む第２の画像データセットと共に処理される。第１の画像データセットと第２の画像データセットの一方に基づく画像は、撮像装置の操作者への表示のためにレンダリングされ、一方、前記第１と第２の画像データセットの他方は、前記画像データセット内の虹彩情報を、少なくとも１つの虹彩に対応する記憶されている虹彩情報と比較し、その後、そのような比較の出力に基づいて一致又は不一致の決定を行うために利用してもよい。より特定的な実施形態では、表示のためにレンダリングされる画像は、虹彩撮像のための画像捕捉パラメータ（例えば、対象者の眼の位置、照明、又は撮像装置若しくはモバイルデバイスの向き等）を操作者が最適化できるようにする。
【００３６】
本発明の特定の実施形態では、第１の画像捕捉モード又は第２の画像捕捉モードは、対象の物体（例えば、対象者の虹彩等）が第１の視野に位置づけされるか第２の視野に位置づけされるかに応じてトリガされてもよい。第１の画像捕捉モード又は第２の画像捕捉モードを、虹彩撮像のために最適化してもよい。
【００３７】
モード間の切替え、及び画素データの選択的なパースは、画素読取り中に制御装置、制御回路、又は処理装置によって制御信号を適切にアサートすることによって直接達成することができる。同様に、選択的なパースは、後で、全ての画像データが画素アレイから読み出された後に達成されることができ、又は画像レンダリング後に撮像ソフトウェアによって実現されることもある。モード間の切替え及び画素データの選択的なパースのための制御装置、制御回路、又は処理装置は、一実施形態では、モバイルデバイスハウジングの外部に少なくとも一部位置してもよい。
【００３８】
図３Ａは、図３に示されるデュアルモードカメラ構成の代替実施形態を示し、ここでは、第１の光学アセンブリ３０４と第２の光学アセンブリ３０５は、どちらも同じ作業距離を有する（即ち、それらのそれぞれの物体面３０６’及び３０７’が画像センサから同じ距離にあり、それにより、第１の画像捕捉領域３０２と第２の画像捕捉領域３０３を、どちらも同じ物体面に位置づけされた物体の合焦像を獲得するように構成する）ように、それぞれ画像センサ３０１の第１の画像捕捉領域３０２と画像センサ３０１の第２の画像捕捉領域３０３の前に挿間される。図３Ａに示されるように、同じ作業距離を有するにも関わらず、光学アセンブリ３０４と３０５は、画像獲得のために、異なる角度視野及び／又は解像度を提供するように構成してもよい。光学アセンブリ３０４と３０５の他の相違は、倍率及び／又は光フィルタリング特性を含んでもよい。図３Ａに示される構成の特定の実施形態では、第２の光学アセンブリ３０５は、画像処理のために、物体面３０７’に位置づけされた対象者の顔の画像を獲得するように構成されてもよく、一方、第１の光学アセンブリ３０４は、画像処理のために、第１の光学アセンブリ３０４のより狭い角度視野内に位置づけされた対象者の眼又は虹彩の画像を獲得するように構成されてもよい。
【００３９】
図３に示される実施形態は、２つの別個の光学アセンブリ３０４と３０５を示すが、２つの光学アセンブリは、光学アセンブリ３０４と３０５に対応する構成をそれぞれ有する２つの光学領域を有する一体形成された要素又は単体の要素に統合することもできることを理解されよう。
【００４０】
本発明の別の実施形態では、モバイルデバイスは、ただ１つの光学アセンブリを有することができるが、複数の屈折光学素子（例えば平面平行光学素子）を有してもよく、それらの屈折光学素子は、画像センサと光学アセンブリとの間に挿間され、各屈折光学素子は、異なる厚さ若しくは屈折率、又はそれら両方を有する。これらの屈折光学素子は、光学アセンブリの実効の像距離を変える働きをする。
【００４１】
図４は、デュアルモードカメラ構成の別の実施形態を示す。画像センサ４０１と、意図される物体位置との間に、光学アセンブリ４０４が位置づけされる。図示されるように、第１の屈折光学素子４０２は、光学アセンブリ４０４と、画像センサ４０１の第１の領域４０９との間に挿間される。第２の屈折光学素子４０３は、光学アセンブリ４０４と、画像センサ４０１の第２の領域４１０との間に挿間される。第１の屈折光学素子４０２と第２の屈折光学素子４０３はそれぞれ、レンズアセンブリの焦点距離又は像面（レンズアセンブリに対する画像センサの位置）を変えることなく、光学アセンブリの像距離を互いに異なるように変えるように構成してもよい。したがって、第１の屈折光学素子４０２は、光学アセンブリ４０４に関する第１の像距離を生成し、一方、第２の屈折光学素子４０３は、光学アセンブリ４０４に関する第２の像距離を生成する。
【００４２】
図４に示されるように、屈折光学素子４０３は、物体が視野４０５内で画像センサ４０１から距離Ｄ１に位置づけされるときに物体の合焦像が画像センサ４０１の第２の部分４１０に形成されるように、光学アセンブリに関する第１の像距離を生成する。同様に、屈折光学素子４０２は、物体が視野４０６内で画像センサ４０１から距離Ｄ２に位置づけされるときに物体の合焦像が画像センサ４０１の第１の部分４０９に形成されるように、光学アセンブリに関する第２の像距離を生成するように構成される。好ましい実施形態では、屈折光学素子の一方は、特に虹彩画像捕捉に適した像距離を保証するように構成される。
【００４３】
図４に示される実施形態は、２つの屈折光学素子４０２と４０３を示すが、光学アセンブリ４０４と画像センサの第１の画像捕捉領域との間に屈折光学素子を１つだけ挿間し、一方、画像センサの第２の画像捕捉領域と光学アセンブリ４０４との間には屈折光学素子を挿間しないことによっても同じ効果を実現することができることを理解されよう。この特定の実施形態では、光学アセンブリ４０４は、第１の物体面にある物体の合焦像を画像センサの第１の領域に形成するように構成され、一方、屈折光学素子と組み合わせた光学アセンブリは、第２の物体面にある物体の合焦像を画像センサの第２の領域に形成する。
【００４４】
任意選択で、光学アセンブリ及び屈折光学素子は、移行領域を有するように位置づけすることができる。画像の明瞭性のために、移行領域内に位置づけされた物体の画像は、画像捕捉、画像パース、又は画像レンダリング中に無視される。しかし、移行領域を有さない実施形態も問題なく実現可能であることを理解されたい。
【００４５】
１つの画像捕捉領域４０５内に位置づけされた物体の像は画像センサ４０１の第１の部分に形成され、第２の画像捕捉領域４０６内に位置づけされた物体の像は画像センサ４０１の第２の部分に形成されるので、本発明は、カメラが第１の画像捕捉モードであるか第２の画像捕捉モードであるかに応じて情報を選択的に記録することができる。例示的実施形態では、第１の画像捕捉モードでは、第１の画像捕捉領域内の画素からの画像データを使用することができ、一方、第２の画像捕捉領域からの画像データは無視される。第２の画像捕捉モードでは、第２の画像捕捉領域内の画素からの画像データが使用され、一方、第１の画像捕捉領域からの画像データが無視される。モード間の切替え、及び画素データの選択的なパースは、画素読取り中に制御回路によって制御信号を適切にアサートすることによって直接達成することができる。同様に、選択的なパースは、後で、全ての画像データが画素アレイから読み出された後に達成してもよいし、又は画像レンダリング後に撮像ソフトウェアによって実現してもよい。
【００４６】
２つの屈折光学素子４０２と４０３は別個の要素でもよいし、又は光学素子４０２と４０３に対応する構成をそれぞれ有する２つの光学領域を有する単体の要素に統合してもよいことを理解されよう。
【００４７】
撮像装置内で適切に構成された屈折光学素子（平面平行素子等）によって受信された画像を選択的に記録することによって、レンズアセンブリの焦点距離又は像面（画像センサの位置）を変えることなく、物体面を変えることができる。
【００４８】
図３、図３Ａ、及び図４の第１と第２の光学アセンブリはそれぞれ、レンズと光学フィルタのうち少なくとも一方を備えることができる。本発明の一実施形態では、第１の光学アセンブリを第１の画像捕捉領域と第３の光学アセンブリとの間に挿入してもよい。代替として、第２の光学アセンブリを第２の画像捕捉領域と第３の光学アセンブリとの間に挿入してもよい。第３の光学アセンブリは、画像センサと第１及び第２の視野との間に代用不可能に挿間することができる。
【００４９】
第１の光学アセンブリは、第１の視野に対応する第１の画像捕捉特性セットを撮像装置に提供するように構成することができる。第２の光学アセンブリは、第２の視野に対応する第２の画像捕捉特性セットを撮像装置に提供するように構成することができる。第１の画像捕捉特性セットは、第２の画像捕捉特性セットとは異なってもよい。一実施形態では、視野、焦点、焦点距離、被写界深度、光フィルタリング特性、倍率、変調伝達関数（ＭＴＦ）、光学アセンブリの主平面の位置、又は光学アセンブリの焦点面の位置の１つ以上に基づいて異なってもよい。
【００５０】
本発明の一実施形態では、第１の光学アセンブリ又は第２の光学アセンブリは、赤外透過フィルタ、狭帯域フィルタ、赤外カットフィルタ、屈折光学素子、又は平面平行屈折素子の１つ以上を含んでもよい。
【００５１】
図３、図３Ａ、及び図４の画像センサは、第１及び第２の画像捕捉領域を有する単体の画像センサとして示されているが、別々に形成された互いに隣接する複数の画像センサを統合又は位置づけすることによっても同じ機能を同様に実現することができる。さらに、例示される実施形態はそれぞれ、２つの画像捕捉モードに関する構成要素を示すが、本発明は、さらなる光学アセンブリ、さらなる屈折光学素子、又はさらなる画像センサを追加することによって３つ以上の画像捕捉モードも同様に企図する。
【００５２】
好ましい実施形態では、デュアルモード画像捕捉のための上記の構成はそれぞれ、虹彩画像捕捉モードと虹彩画像以外の画像の捕捉モードとの間で切り替わるように使用することができる。しかし、上記の構成は虹彩画像捕捉と虹彩画像以外の画像の捕捉との間の切替えの用途に限定されず、代わりに、物体距離、像距離、焦点距離、視野、被写界深度、又はフィルタリング特性の１つ以上を変えることによって実現することが可能な任意の２つ以上の異なる画像捕捉モード間で切り替わるようにモバイルデバイスカメラを構成するために使用してもよい。
【００５３】
図５は、図１の画像処理装置の様々な実施形態、又は図３及び図４に関連して論じた制御処理装置を実装することができる例示的な処理システムを示す。
【００５４】
システム５０２は、少なくとも１つの処理装置５０４と、少なくとも１つのメモリ５０６とを備える。処理装置５０４はプログラム命令を実行し、現実の処理装置とすることができる。処理装置５０４は仮想処理装置であってもよい。コンピュータシステム５０２は、上記の実施形態の使用又は機能の範囲に関する限定を示唆するものとは意図されていない。例えば、コンピュータシステム８０２は、限定はしないが、１つ以上の汎用コンピュータ、プログラム済みのマイクロプロセッサ、マイクロコントローラ、集積回路、及び本発明の方法を構成するステップを実施することが可能な他のデバイス又はデバイス構成を含んでもよい。本発明の一実施形態では、メモリ５０６は、本発明の様々な実施形態を実装するためのソフトウェアを記憶することができる。コンピュータシステム５０２は、追加の構成要素を有することもある。例えば、コンピュータシステム５０２は、１つ以上の通信チャネル５０８、１つ以上の入力デバイス５１０、１つ以上の出力デバイス５１２、及び記憶装置５１４を含む。バス、コントローラ、又はネットワーク等の相互接続メカニズム（図示せず）が、コンピュータシステム８０２の構成要素を相互接続する。本発明の様々な実施形態において、オペレーティングシステムソフトウェア（図示せず）が、コンピュータシステム５０２で実行される様々なソフトウェアのための動作環境を提供し、コンピュータシステム５０２の構成要素の様々な機能を管理する。
【００５５】
本発明の例示的実施形態を本明細書で述べて示したが、これらの例示的実施形態は単に例示にすぎないことを理解されたい。添付の特許請求の範囲によって定義される本発明の精神及び範囲から逸脱することなく、又はそれに反することなく、形態及び詳細の様々な修正を行うことができることを当業者は理解されよう。
【図１】
2016527769.tif 000003
【図２】
2016527769.tif 000004
【図３】
2016527769.tif 000005
【図３ａ】
2016527769.tif 000006
【図４】
2016527769.tif 000007
【図５】
2016527769.tif 000008
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
モバイルデバイスのハウジング内部に少なくとも部分的に収容されており、複数の画像獲得モードのために構成されている撮像装置であって、
撮像面を備える画像センサと、
前記撮像面の第１の画像捕捉領域の上に位置づけされ、第１の視野を規定する第１の光学アセンブリであり、前記第１の視野内の任意の物体面を前記第１の画像捕捉領域に像形成する第１の光学アセンブリと、
前記撮像面の第２の画像捕捉領域の上に位置づけされ、第２の視野を規定する第２の光学アセンブリであり、前記第２の視野内の任意の物体面を前記第２の画像捕捉領域に像形成する第２の光学アセンブリと、
制御装置であり、前記制御装置が、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する、
ように構成される、制御装置と、
を備える、撮像装置。
【請求項２】
前記第１の光学アセンブリ及び前記第２の光学アセンブリの各々は、レンズ又は光学フィルタのうち少なくとも一方を備える、請求項１に記載の撮像装置。
【請求項３】
前記第１の光学アセンブリが、前記画像センサと前記第１及び第２の視野との間に代用不可能に挿間されている第３の光学アセンブリと前記第１の画像捕捉領域との間に挿入されているか、或いは、前記第２の光学アセンブリが、前記第３の光学アセンブリと前記第２の画像捕捉領域との間に挿入されている、請求項１に記載の撮像装置。
【請求項４】
視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の視野に対応する前記第１の光学アセンブリによって当該撮像装置に提供される第１の画像捕捉特性セットが、前記第２の視野に対応する前記第２の光学アセンブリによって当該撮像装置に提供される第２の画像捕捉特性セットとは異なる、請求項１に記載の撮像装置。
【請求項５】
前記第１の光学アセンブリ又は前記第２の光学アセンブリが、赤外透過フィルタ、狭帯域フィルタ、赤外カットフィルタ、屈折光学素子、又は平面平行屈折素子のうち１つ以上を備える、請求項１に記載の撮像装置。
【請求項６】
前記第１の画像捕捉モード及び前記第２の画像捕捉モードのうち一方が、虹彩撮像のために最適化されている、請求項１に記載の撮像装置。
【請求項７】
前記第１の画像捕捉領域及び前記第２の画像捕捉領域が移行領域によって分離されており、前記移行領域の内部からの画素データが、画像捕捉中、画像パース中、又は画像レンダリング中には無視される、請求項１に記載の撮像装置。
【請求項８】
前記制御装置が、画像捕捉中、画像パース中、又は画像レンダリング中のうち任意の１つにおいて、前記第１の画像捕捉領域内又は前記第２の画像捕捉領域内からの画像データを選択的に処理するように構成されている、請求項１に記載の撮像装置。
【請求項９】
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成されている、請求項６に記載の撮像装置。
【請求項１０】
撮像装置での複数の画像獲得モードを可能にするための方法であって、前記撮像装置が、モバイルデバイスのハウジング内部に少なくとも一部収容されており、当該方法は、
撮像面を備える画像センサに関して、前記撮像面内に第１の画像捕捉領域及び第２の画像捕捉領域を定めるステップと、
第１の光学アセンブリを前記第１の画像捕捉領域の上に位置づけするステップであり、前記第１の光学アセンブリが、第１の視野を規定し、前記第１の視野内の任意の物体面を前記第１の画像捕捉領域に像形成する、ステップと、
第２の光学アセンブリを前記第２の画像捕捉領域の上に位置づけするステップであり、前記第２の光学アセンブリが、第２の視野を規定し、前記第２の視野内の任意の物体面を前記第２の画像捕捉領域に像形成する、ステップと、
制御装置を、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する
ように構成するステップと、
を含む、方法。
【請求項１１】
前記第１の光学アセンブリが、前記画像センサと前記第１及び第２の視野との間に代用不可能に挿間される第３の光学アセンブリと前記第１の画像捕捉領域との間に位置づけされているか、或いは、前記第２の光学アセンブリが、前記第３の光学アセンブリと前記第２の画像捕捉領域との間に位置づけされている、請求項１０に記載の方法。
【請求項１２】
前記第１及び第２の光学アセンブリは、視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の視野に対応する前記第１の光学アセンブリによって前記撮像装置に提供される第１の画像捕捉特性セットが、前記第２の視野に対応する前記第２の光学アセンブリによって前記撮像装置に提供される第２の画像捕捉特性セットとは異なるように選択される、請求項１０に記載の方法。
【請求項１３】
虹彩撮像のために、前記第１の画像捕捉モード及び前記第２の画像捕捉モードのうち一方を最適化するステップを含む、請求項１０に記載の方法。
【請求項１４】
前記第１の画像捕捉領域及び前記第２の画像捕捉領域を定めるステップが、前記第１の画像捕捉領域及び前記第２の画像捕捉領域を分離する移行領域を定めるステップと、画像捕捉中、画像パース中、又は画像レンダリング中に前記移行領域内からの画素データを無視するように前記制御装置を構成するステップと、を含む、請求項１０に記載の方法。
【請求項１５】
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成される、請求項１３に記載の方法。
【手続補正２】
【補正対象書類名】明細書
【補正対象項目名】００５５
【補正方法】変更
【補正の内容】
【００５５】
本発明の例示的実施形態を本明細書で述べて示したが、これらの例示的実施形態は単に例示にすぎないことを理解されたい。添付の特許請求の範囲によって定義される本発明の精神及び範囲から逸脱することなく、又はそれに反することなく、形態及び詳細の様々な修正を行うことができることを当業者は理解されよう。
［発明の例］
［例１］
モバイルデバイスのハウジング内部に少なくとも部分的に収容されており、複数の画像獲得モードのために構成されている撮像装置であって、
撮像面を備える画像センサと、
前記撮像面の第１の画像捕捉領域の上に位置づけされ、第１の視野を規定する第１の光学アセンブリであり、前記第１の視野内の任意の物体面を前記第１の画像捕捉領域に像形成する第１の光学アセンブリと、
前記撮像面の第２の画像捕捉領域の上に位置づけされ、第２の視野を規定する第２の光学アセンブリであり、前記第２の視野内の任意の物体面を前記第２の画像捕捉領域に像形成する第２の光学アセンブリと、
制御装置であり、前記制御装置が、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する、
ように構成される、制御装置と、
を備える、撮像装置。
［例２］
前記第１の画像捕捉モード又は前記第２の画像捕捉モードは、対象の物体が前記第１の視野又は前記第２の視野内に位置づけされたのに応答してそれぞれトリガされる、例１に記載の撮像装置。
［例３］
前記制御装置は、前記モバイルデバイスのハウジングの外に少なくとも一部位置している、例１に記載の撮像装置。
［例４］
前記第１の光学アセンブリと第２の光学アセンブリは一体形成されている、例１に記載の撮像装置。
［例５］
複数の撮像面が、それぞれ前記第１の画像捕捉領域及び前記第２の画像捕捉領域の下にあり、離散的に形成されている、例１に記載の撮像装置。
［例６］
前記第１の光学アセンブリ及び前記第２の光学アセンブリの各々は、レンズ又は光学フィルタのうち少なくとも一方を備える、例１に記載の撮像装置。
［例７］
前記第１の光学アセンブリが、前記画像センサと前記第１及び第２の視野との間に代用不可能に挿間されている第３の光学アセンブリと前記第１の画像捕捉領域との間に挿入されているか、或いは、前記第２の光学アセンブリが、前記第３の光学アセンブリと前記第２の画像捕捉領域との間に挿入されている、例１に記載の撮像装置。
［例８］
前記第１の光学アセンブリが、前記第１の視野に対応する第１の画像捕捉特性セットを当該撮像装置に提供し、前記第１の画像捕捉特性セットが、前記第２の視野に対応する前記第２の光学アセンブリによって当該撮像装置に提供される第２の画像捕捉特性セットとは異なる、例１に記載の撮像装置。
［例９］
視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の画像捕捉特性セットが、前記第２の画像捕捉特性セットとは異なる、例８に記載の撮像装置。
［例１０］
前記第１の光学アセンブリ又は前記第２の光学アセンブリが、赤外透過フィルタ、狭帯域フィルタ、赤外カットフィルタ、屈折光学素子、又は平面平行屈折素子のうち１つ以上を備える、例１に記載の撮像装置。
［例１１］
前記第１の画像捕捉モード及び前記第２の画像捕捉モードのうち一方が、虹彩撮像のために最適化されている、例１に記載の撮像装置。
［例１２］
前記第１の画像捕捉領域及び前記第２の画像捕捉領域が移行領域によって分離されており、前記移行領域の内部からの画素データが、画像捕捉中、画像パース中、又は画像レンダリング中には無視される、例１に記載の撮像装置。
［例１３］
前記制御装置が、画像捕捉中、画像パース中、又は画像レンダリング中のうち任意の１つにおいて、前記第１の画像捕捉領域内又は前記第２の画像捕捉領域内からの画像データを選択的に処理するように構成されている、例１に記載の撮像装置。
［例１４］
当該撮像装置が、モバイル通信デバイスの任意の１つのハウジング内部に配設されているカメラである、例１に記載の撮像装置。
［例１５］
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成されている、例１１に記載の撮像装置。
［例１６］
操作者に表示するためにレンダリングされた前記画像は、前記操作者が虹彩撮像のために画像捕捉パラメータを最適化できるようにする、例１５に記載の撮像装置。
［例１７］
撮像装置での複数の画像獲得モードを可能にするための方法であって、前記撮像装置が、モバイルデバイスのハウジング内部に少なくとも一部収容されており、当該方法は、
撮像面を備える画像センサに関して、前記撮像面内に第１の画像捕捉領域及び第２の画像捕捉領域を定めるステップと、
第１の光学アセンブリを前記第１の画像捕捉領域の上に位置づけするステップであり、前記第１の光学アセンブリが、第１の視野を規定し、前記第１の視野内の任意の物体面を前記第１の画像捕捉領域に像形成する、ステップと、
第２の光学アセンブリを前記第２の画像捕捉領域の上に位置づけするステップであり、前記第２の光学アセンブリが、第２の視野を規定し、前記第２の視野内の任意の物体面を前記第２の画像捕捉領域に像形成する、ステップと、
制御装置を、
第１の画像捕捉モードのトリガに応答して、前記第１の画像捕捉領域内の画素からの画像データを処理し、
第２の画像捕捉モードのトリガに応答して、前記第２の画像捕捉領域内の画素からの画像データを処理する
ように構成するステップと、
を含む、方法。
［例１８］
前記制御装置は、前記第１の画像捕捉モード又は前記第２の画像捕捉モードを、前記第１の視野又は前記第２の視野に対象の物体が位置づけされたのに応答してそれぞれトリガするように構成される、例１７に記載の方法。
［例１９］
前記制御装置は、前記モバイルデバイスのハウジングの外に少なくとも一部位置している、例１７に記載の方法。
［例２０］
前記第１の光学アセンブリと第２の光学アセンブリは一体形成されている、例１７に記載の方法。
［例２１］
前記複数の撮像面が、それぞれ前記第１の画像捕捉領域及び前記第２の画像捕捉領域の下にあり、離散的に形成されている、例１７に記載の方法。
［例２２］
前記第１の光学アセンブリ及び前記第２の光学アセンブリの各々は、レンズ又は光学フィルタのうち少なくとも一方を備える、例１７に記載の方法。
［例２３］
前記第１の光学アセンブリが、前記画像センサと前記第１及び第２の視野との間に代用不可能に挿間される第３の光学アセンブリと前記第１の画像捕捉領域との間に位置づけされているか、或いは、前記第２の光学アセンブリが、前記第３の光学アセンブリと前記第２の画像捕捉領域との間に位置づけされている、例１７に記載の方法。
［例２４］
前記第１の光学アセンブリが、前記第１の視野に対応する第１の画像捕捉特性セットを前記撮像装置に提供するように選択され、前記第１の画像捕捉特性セットが、前記第２の視野に対応する前記第２の光学アセンブリによって前記撮像装置に提供される第２の画像捕捉特性セットとは異なる、例１７に記載の方法。
［例２５］
前記第１及び第２の光学アセンブリは、視野、焦点、焦点距離、被写界深度、光フィルタリング特性、倍率、変調伝達関数（ＭＴＦ）、光学アセンブリの主平面の位置、又は光学アセンブリの焦点面の位置のうち１つ以上に基づいて、前記第１の画像捕捉特性セットが、前記第２の画像捕捉特性セットとは異なるように選択される、例２４に記載の方法。
［例２６］
前記第１の光学アセンブリ又は前記第２の光学アセンブリが、赤外透過フィルタ、狭帯域フィルタ、赤外カットフィルタ、屈折光学素子、又は平面平行屈折素子のうち１つ以上を備える、例１７に記載の撮像装置。
［例２７］
虹彩撮像のために、前記第１の画像捕捉モード及び前記第２の画像捕捉モードのうち一方を最適化するステップを含む、例１７に記載の方法。
［例２８］
前記第１の画像捕捉領域及び前記第２の画像捕捉領域を定めるステップが、前記第１の画像捕捉領域及び前記第２の画像捕捉領域を分離する移行領域を定めるステップと、画像捕捉中、画像パース中、又は画像レンダリング中に前記移行領域内からの画素データを無視するように前記制御装置を構成するステップと、を含む、例１７に記載の方法。
［例２９］
前記制御装置が、画像捕捉中、画像パース中、又は画像レンダリング中のうち任意の１つにおいて、前記第１の画像捕捉領域内又は前記第２の画像捕捉領域内からの画像データを選択的に処理するように構成されている、例１７に記載の方法。
［例３０］
前記撮像装置が、モバイル通信デバイス又はモバイルデータ通信デバイスのハウジング内部に配設されているカメラである、例１７に記載の方法。
［例３１］
前記制御装置が、
前記第１の画像捕捉領域内の画素から獲得された第１の画像データセットと、前記第２の画像捕捉領域内の画素から獲得された第２の画像データセットとを処理し、
操作者に表示するために、画素からの前記第１の画像データセット及び前記第２の画像データセットのうち一方に基づいて画像をレンダリングし、
前記第１の画像データセット及び前記第２の画像データセットのうち他方を、
前記第１又は第２の画像データセット内の虹彩情報を、少なくとも１つの虹彩に対応する記憶されている虹彩情報と比較し、
前記比較の出力に基づいて、一致決定又は不一致決定を行う
ために利用する、
ことによって前記第１の画像捕捉モードのトリガに応答するように構成される、例２７に記載の方法。
［例３２］
前記制御装置は、表示のためにレンダリングされた画像に基づいて、虹彩撮像のために操作者が画像捕捉パラメータを最適化できるように構成されている、例３１に記載の方法。
【国際調査報告】
2016527769.tif 000009